(57)【要約】【課題】開閉自在の移動通信装置が閉じられた際、その装置が使用された旨の電子メールを送信する。【解決手段】上下筐体が閉じられると（ステップＳ１０１）、安否メール作成部２１は、それが今日初めてである場合（ステップＳ２０２の「ＹＥＳ」）、所定の電子メールを未送信メール記憶部に記憶させる（ステップＳ２０３）。電子メール送受信部１８は、所定の時間間隔で動作を開始し（ステップＳ３０１）、未送信メール記憶部に記憶された電子メールを送信する（ステップＳ３０３）。【選択図】図１０
2010226533.tif 000002
【特許請求の範囲】
【請求項１】
第１の筐体と第２の筐体とが開閉自在に結合され、入力手段の少なくとも一部は、前記第１、第２の筐体が閉状態である場合、操作されない位置に設置され、及び／又は、表示手段の少なくとも一部は、前記第１、第２の筐体が閉状態である場合、視認されない位置に設置された移動通信装置であって、
未送信メール記憶手段と、
前記第１、第２の筐体が閉状態となったことを検出する開閉検出手段と、
前記開閉検出手段によって前記第１、第２の筐体が閉状態となったことが検出されたことに基づいて、所定の電子メールを前記未送信メール記憶手段に記憶させる安否メール作成手段と、
前記未送信メール記憶手段に記憶された所定の電子メールを送信する電子メール送信手段と
を有することを特徴とする移動通信装置。
【請求項２】
日時を示す時計を更に有し、
前記安否メール作成手段は、前記時計を参照して、１日に１回前記所定の電子メールを前記未送信メール記憶手段に記憶させる
ことを特徴とする請求項１に記載の移動通信装置。
【請求項３】
日時を示す時計と、
電子メール最終記憶日時記憶手段とを更に有し、
前記安否メール作成手段は、前記開閉検出手段によって前記第１、第２の筐体が閉状態となったことが検出された際に前記時計が示す日と、前記電子メール最終記憶日時記憶手段に記憶された日とが等しい場合、前記所定の電子メールを前記未送信メール記憶手段に記憶させず、また、前記所定の電子メールを前記未送信メール記憶手段に記憶させる際、前記時計が示す日を前記電子メール最終記憶日時記憶手段に記憶させる
ことを特徴とする請求項１に記載の移動通信装置。
【請求項４】
前記日は、所定の時刻からその時刻に２４時間を加えた時刻までである
ことを特徴とする請求項２又は請求項３に記載の移動通信装置。
【請求項５】
前記安否メール作成手段は、前記所定の電子メールを前記未送信メール記憶手段に記憶させる際、その電子メールに関連付けて時間帯を記憶させ、
前記電子メール送信手段は、前記時計が示す時刻が前記未送信メール記憶手段に記憶された時間帯に含まれない場合、又は、含まれる場合、その時間帯に関連付けられて記憶された電子メールを送信しない
ことを特徴とする請求項２又は請求項３に記載の移動通信装置。
【請求項６】
前記入力手段から入力された操作の少なくとも一部に基づく動作を抑止し、また、その抑止を解除するロック制御手段を更に有し、
前記安否メール作成手段は、前記ロック制御手段が前記動作を抑止している間、前記所定の電子メールを前記未送信メール記憶手段に記憶させない
ことを特徴とする請求項１ないし請求項３のいずれか１項に記載の移動通信装置。
【発明の詳細な説明】
【技術分野】
【０００１】
本発明は、移動通信装置に係り、特に、装置の使用者の安否を電子メールで通知する処理に関する。
【背景技術】
【０００２】
一人暮らしの方、特に、一人暮らしのお年寄りの安否は、その方の関係者、例えば、お年寄りの子にとって、気遣われる。そこで、その方が無事に暮らしていることを、その方が使用する装置が使われたことによって検出し、その装置が使われた、また、使われていないことを、その方の関係者へ通知する処理が知られている。
【０００３】
無用に多くの通知がされることを避けるため、その装置が使われた履歴をサーバ装置が記憶し、サーバ装置は、ある日にその装置が所定回数以上使われたことを、又は、ある日に使われなかったことを通知する処理が知られている（例えば、特許文献１参照。）。また、携帯電話機が所定の時間に渡って使われないと、その携帯電話機が、その旨を電子メールによって通知する処理が知られている（例えば、特許文献２参照。）。
【先行技術文献】
【特許文献】
【０００４】
【特許文献１】特開２００３−２２８７８４号公報（第２−３、９頁、図５−７）
【特許文献２】特開２００５−５７５１３号公報（第２、７頁、図６、７）
【発明の概要】
【発明が解決しようとする課題】
【０００５】
しかしながら、上述した特許文献１に開示されている方法では、装置が使われた履歴を記憶するサーバ装置が必要である問題点があった。また、上述した特許文献２に開示されている方法では、携帯電話機が使われない旨を通知する場合はともかく、使われた旨を通知するとした場合、その携帯電話機が使用中なのであって、その使用と、通知との２つの負荷が同時に発生する結果、携帯電話機の反応が遅くなる可能性がある問題点があった。
【０００６】
本発明は上記問題点を解決するためになされたもので、開閉自在の移動通信装置が閉じられた際、その装置が使用された旨の電子メールを送信する移動通信装置を提供することを目的とする。
【課題を解決するための手段】
【０００７】
上記目的を達成するために、本発明の移動通信装置は、第１の筐体と第２の筐体とが開閉自在に結合され、入力手段の少なくとも一部は、前記第１、第２の筐体が閉状態である場合、操作されない位置に設置され、及び／又は、表示手段の少なくとも一部は、前記第１、第２の筐体が閉状態である場合、視認されない位置に設置された移動通信装置であって、未送信メール記憶手段と、前記第１、第２の筐体が閉状態となったことを検出する開閉検出手段と、前記開閉検出手段によって前記第１、第２の筐体が閉状態となったことが検出されたことに基づいて、所定の電子メールを前記未送信メール記憶手段に記憶させる安否メール作成手段と、前記未送信メール記憶手段に記憶された所定の電子メールを送信する電子メール送信手段とを有することを特徴とする。
【発明の効果】
【０００８】
本発明によれば、開閉自在の移動通信装置が閉じられた際、その装置が使用された旨の電子メールを送信することができる。
【図面の簡単な説明】
【０００９】
【図１】本発明の実施形態に係る移動通信装置の上下筐体の折畳みを開いた時の外観図。
【図２】本発明の実施形態に係る移動通信装置の上下筐体の折畳みを閉じた時の外観図。
【図３】本発明の実施形態に係る移動通信装置の構成を示すブロック図。
【図４】本発明の実施形態に係る各種設定の入力の際の表示部の表示。
【図５】本発明の実施形態に係る安否メールを送信するか否かが選択された際の表示部の表示。
【図６】本発明の実施形態に係る安否メールの宛先を電話帳から選択して設定する際の表示部の表示。
【図７】本発明の実施形態に係る安否メールの宛先を電話番号の入力によって設定する際の表示部の表示。
【図８】本発明の実施形態に係る安否メールの宛先を電子メールアドレスの入力によって設定する際の表示部の表示。
【図９】本発明の実施形態に係る安否メールの宛先を変更する際の表示部の表示。
【図１０】本発明の実施形態に係る安否メール作成部及び電子メール送受信部による安否メールを送信する動作のフローチャート。
【発明を実施するための形態】
【００１０】
以下に、本発明の実施形態に係る移動通信装置の実施の形態を、図面を参照して説明する。図１は、本発明の実施形態に係わる開閉自在の折畳み型移動通信装置の、上下筐体の折畳みを開いた時の外観図を示し、図１（ａ）は正面図、図１（ｂ）は側面図である。
【００１１】
この移動通信装置は、上筐体１と下筐体２とが、ヒンジ部３によって軸Ａ−Ａを中心に回動自在に連結されてなることによって、上下筐体１、２の角度が略０度（閉状態）から略１８０度（開状態）の間で開閉自在に構成されている。
【００１２】
上筐体１の内面には、受話に用いられるスピーカ１４ａと、使用者に操作を促す表示や、使用者が操作した内容の表示や、装置の動作状態の表示などに用いられる表示部１５とが設置されている。
【００１３】
下筐体２の内面には、送話に用いられるマイクロフォン１４ｂと、入力素子であるキーパッドからなる入力部１６とが設けられている。また、下筐体２の内部には、電波の送受に用いられるアンテナ（図示せず）が設置されている。
【００１４】
入力部１６には、各機能での確定や選択を指示するために用いられる決定キー１６ａと、決定キー１６ａに隣接して決定キー１６ａを取り囲んで設置され、決定キー１６ａの上、下、左、及び、右方向に位置する４つのキー、即ち、上向きキー、下向きキー、左向きキー、及び、右向きキーからなり、表示部１５上のカーソル位置の移動指示などに用いられる十字選択キー１６ｂと、下筐体２内面の上部左、即ち、表示部１５の下部左近くに設置された第１の機能キー１６ｃと、下筐体２内面の上部右、即ち、表示部１５の下部右近くに設置された第２の機能キー１６ｄとが設けられている。
【００１５】
なお、入力部１６には、電話番号を含む数字の入力などに用いられるダイヤルキーと、移動通信装置の電源の投入及び切断などの動作指示などを入力するために用いられる機能キーも設けられている。なお、下筐体２の側面には、入力部１６のキーパッドの一部が設けられていても良い。
【００１６】
上筐体１の上部の内部（ヒンジ部３から遠い部分。）に磁石４が埋め込まれ、下筐体２の下部の内部（ヒンジ部３から遠い部分。）に磁界検出素子５が埋め込まれている。磁界検出素子５は、例えば、ホール素子であって、上下筐体１、２が閉状態にある場合、磁石４と、磁界検出素子５との間の距離が近いように配置してある。磁界検出素子５は、磁石４に起因する磁界を検出することによって、上下筐体１、２が閉状態にあることを検出する。
【００１７】
なお、磁界検出素子５によれば、上下筐体１、２が閉状態にあることを検出するが、１つの磁界検出素子と、２つの磁石とをヒンジ部３に埋め込み、上下筐体１、２が閉状態にあるか、閉状態にあるかによって、いずれかの磁石と磁界検出素子との間の距離が近いように配置することによって、上下筐体１、２が閉状態にあることと、閉状態にあることとを検出するようにしても良い。
【００１８】
図２は、この移動通信装置の上筐体１をヒンジ部３によって回動させ、下筐体２に近づけて折畳みを閉じた時の外観を示し、図２（ａ）は正面図、図２（ｂ）は側面図である。折畳みが閉じられた状態では、表示部１５と、入力部１６とは、折畳みの内側にあるため、使用者は、表示部１５に行われた表示を視認することができず、また、入力部１６のキーを操作することができない。
【００１９】
図３は、本発明の実施形態に係る移動通信装置の構成を示すブロック図である。この移動通信装置は、装置全体の制御を行う制御部１１と、日時を示す時計１１ａと、移動通信網の基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、入力部１６と、開閉検出部１７と、電子メール送受信部１８と、未送信メール記憶部１９と、安否メール作成部２１と、安否メール最終記憶日時記憶部２２とからなる。
【００２０】
なお、プログラムを実行することで実現される本発明に関する機能として、制御部１１には、時計制御機能１１−１と、ロック機能１１−２とが含まれる。また、未送信メール記憶部１９には、未送信メール、即ち、電子メール送受信部１８によって送信されるべき電子メールであって、送信されていない電子メールが記憶される。安否メール最終記憶日時記憶部２２には、安否メール作成部２１によって、安否メールが最後に未送信メール記憶部１９に記憶された日時である安否メール最終記憶日時が記憶される。
【００２１】
ここで、開閉検出部１７と、電子メール送受信部１８と、安否メール作成部２１とは、プログラムを実行することで実現される機能として、制御部１１に含まれても良い。また、未送信メール記憶部１９と、安否メール最終記憶日時記憶部２２とは、同じ記憶部であっても良い。更に、制御部１１に含まれる記憶部であっても良い。
【００２２】
上記のように構成された、本発明の実施形態に係る情報処理装置の各部の動作を、図３を参照して説明する。
【００２３】
制御部１１は、少なくとも装置に電源が投入され、動作を開始した際、開閉検出部１７に上下筐体１、２が開状態にあるか、又は、閉状態にあるかを検出させ、得られた検出結果を制御部１１内に記憶する。また、開閉検出部１７からの割込みを契機として、上下筐体１、２が開状態から閉状態になったこと、及び、閉状態から開状態になったことの通知を受信する。
【００２４】
上記の処理により、制御部１１は、上下筐体１、２が開状態にあるか、又は、閉状態にあるかを常に記憶し、記憶された状態に依存して、また、検出結果が開状態から閉状態になったこと、及び、閉状態から開状態になったことに依存して、所定の制御を行う。
【００２５】
時計制御機能１１−１は、入力部１６の所定のキー操作に基づいて動作を開始し、入力部１６の所定のキー操作によって入力された日時を時計１１ａが示すように、時計１１ａを変更する。更に、時計制御機能１１−１は、安否メール最終記憶日時記憶部２２に記憶された日時を消去する。
【００２６】
ロック機能１１−２は、移動通信網から所定のロック制御信号が受信された場合、ロック状態であることを制御部１１内に記憶する。そして、移動通信網から所定のロック解除制御信号が受信された場合、ロックを解除し、ロック状態でないことを制御部１１内に記憶する。なお、ロック状態でないことが記憶されている場合、制御部１１は、装置の各部を以後に説明するように動作させる。
【００２７】
一方、ロック状態であることが記憶されている場合、制御部１１は、以後の説明に係わらず、装置の動作を抑止する。即ち、電源の投入及び切断などの限られた機能を除き、入力部１６のキー操作を無視し、表示部１５には、ロック中である旨を報知する画像を表示させる。そして、制御部１１、通信部１２ｂ及び送受信部１３によるロック解除制御信号の受信機能、及び開閉検出部１７を動作させるものの、通話部１４ｃや、安否メール作成部２１を含む、その他のアプリケーション処理部を動作させない。
【００２８】
この結果、一日中ロック状態であると記憶されていた日には、後述する安否メールは必ず送信されない。これは、ロック状態とされるのは、主に、装置が行方不明になった場合や、盗難にあった場合であって、装置は、正当な使用者によって使用されていない場合が多く、ロック状態にある際に送信されるにせよ、ロックが解除された後に送信されるにせよ、安否メールの意味が乏しいからである。
【００２９】
通信部１２ｂは、アンテナ１２ａが受信した高周波信号を送受信部１３へ出力し、また、送受信部１３から出力される高周波信号をアンテナ１２ａより送信する。
【００３０】
送受信部１３は、通信部１２ｂからの高周波信号を増幅、周波数変換及び復調し、それによって得られたディジタル音声信号を通話部１４ｃへ、電子メール信号を電子メール送受信部１８へ、また、着信信号を含む制御信号を制御部１１に送る。更には、通話部１４ｃから出力されるディジタル音声信号、電子メール送受信部１８から出力される電子メール信号、及び制御部１１から出力される制御信号を変調、周波数変換及び増幅し、高周波信号を得て、それを通信部１２ｂに送る。
【００３１】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００３２】
表示部１５は、バックライト付きのＬＣＤ（Liquid Crystal Display）であり、上下筐体１、２が開状態にある場合、制御部１１に制御されることで、カーソルを含む文字・数字を含む画像データの表示動作を行い、表示されているデータは、入力部１６からの入力操作や着信信号に応答して制御部１１からの指示を受けることで切換わる。また、上下筐体１、２が閉状態にある場合、及び、開状態にあって、所定の時間に渡って入力部１６のキー操作がない場合、制御部１１は、表示部１５に表示をさせない。表示部１５は、その他のディスプレイ、例えば、有機ＥＬディスプレイ（Organic Electro-Luminescence Display）でも良い。
【００３３】
入力部１６は、通信相手の電話番号などを指定し、また、トグル式の入力方式によってひらがな文字、アルファベット文字及び記号文字を入力するための数字キーと、カーソル移動キーやスクロールキーを含む複数の機能キーとを含むキーからなる。そして、入力部１６のキーが押下されると、そのキーの識別子を制御部１１に通知する。
【００３４】
開閉検出部１７は、磁界検出素子５が磁界を検出しているか否かによって、上下筐体１、２が開状態にあるか、閉状態にあるかを検出する。そして、上下筐体１、２が開状態にあるか、閉状態にあるかの検出要求を受信して、いずれかの状態であるかを通知する。また、所定の時間間隔で磁界検出素子５が磁界を検出しているか否かを調べ、その結果の変化によって、上下筐体１、２が開状態から閉状態になった、及び、閉状態から開状態になったと検出された場合、割込みを介して、それらを制御部１１へ通知する。
【００３５】
電子メール送受信部１８は、電子メールの送受信を行う処理部であり、入力部１６の所定のキー操作に基づく制御部１１からの指示によって、電子メールの送信動作を開始する。
【００３６】
電子メール送受信部１８は、続いて、入力部１６から送信されたキーの識別子に従って、電子メールの宛先メールアドレスと、件名（Subject）と、本文とからなる電子メールを作成する。そして、作成された電子メールを未送信メール記憶部１９に未送信メールとして記憶させる。
【００３７】
続いて、電子メール送受信部１８は、未送信メール記憶部１９に記憶された未送信メールを送受信部１３に送信させる。この電子メールは、通信部１２ｂ、アンテナ１２ａ、基地局を介してメールサーバ装置（図示せず）に送信される。送受信部１３は、送信が終了すると、その送信されたメールを未送信メール記憶部１９から削除する。
【００３８】
ここで、装置が移動通信網の圏外に位置しているなどの理由により、未送信メール記憶部１９に記憶された未送信メールがメールサーバ装置に送信されないことがある。そこで、電子メール送受信部１８は、所定時間間隔で動作し、未送信メール記憶部１９に記憶されている未送信メールを送受信部１３に送信させ、そのメールを未送信メール記憶部１９から削除する。
【００３９】
以上説明した電子メール送受信部１８が電子メールを送信させる動作により、他の処理部は、電子メールの宛先メールアドレスと、件名と、本文とを未送信メール記憶部１９に未送信メールとして記憶させることによって、電子メールを送信させることができる。
【００４０】
また、電子メール送受信部１８は、電子メール着信信号が受信されることにより、制御部１１からの指示によって、メールサーバ装置から送信され、送受信部１３によって受信された電子メールを受信する。そして、受信された電子メールを、電子メール送受信部１８内に記憶して、動作を終了する。電子メールには、少なくともこのメールの送信元メールアドレスと、件名と、本文とを含む。
【００４１】
また、電子メール送受信部１８は、入力部１６の所定のキー操作に基づく制御部１１からの指示によって、電子メール送受信部１８内に記憶された受信された電子メールの一覧、例えば、それらの電子メールが受信された時刻と、そのメールの送信元メールアドレスとの一覧を表示部１５に表示させる。そして、入力部１６の所定のキー操作に基づいて、それらの電子メールの中の１つを選択し、選択された電子メールの詳細、例えば、本文を表示部１５に表示させる。この動作によって、使用者は、受信された電子メールを読むことができる。
【００４２】
以上の説明で、電子メール送受信部１８は、電子メールの宛先メールアドレスを指定して電子メールを送信するとしたが、これに限るものではなく、電話番号を指定して電子メールを送信する。その電子メールは、電話番号と、電子メールアドレスとの対応を記憶するメールサーバ装置（図示せず）によって、その指定された電話番号が対応付けられた電子メールアドレスを宛先メールアドレスとする電子メールへ変換されて送信される。
【００４３】
なお、移動通信装置が電話番号と、電子メールアドレスとを関連付けて記憶する電話帳（図示せず）を有する場合、上記の電話番号は、その電話帳を参照して、電子メールアドレスへ変換されるとしても良い。
【００４４】
安否メール作成部２１は、上下筐体１、２が開状態から閉状態になった際に制御部１１からの指示によって動作を開始し、毎日の初回に動作を開始した場合、所定の安否メールを未送信メール記憶部１９に未送信メールとして記憶させる。なお、この未送信メールの宛先メールアドレスは、装置の使用者の関係者のアドレスである。そして、安否メール作成部２１は、安否メールを記憶させた際に時計１１ａが示す日時を安否メール最終記憶日時記憶部２２内に安否メール最終記憶日時として記憶させる。
【００４５】
以下、本発明の実施形態に係わる移動通信装置による安否メールを送信する動作を説明する。
【００４６】
（制御部１１による安否メールを送信するか否かの制御動作）
制御部１１は、入力部１６の所定のキー操作に基づいて、安否メールを送信するか否か、そして、送信する場合、更に安否メールの宛先メールアドレスと、件名と、本文とを入力し、安否メールを送信するか否かを制御部１１内に記憶し、入力されたアドレスと、件名と、本文とを安否メール作成部２１内に記憶させる。ここで、件名と、本文とは、制御部１１又は安否メール作成部２１によって事前に定められていても良く、その場合、例えば、無事に暮らしている旨が含まれる。
【００４７】
この安否メールを送信するか否かの選択、また、安否メールの宛先メールアドレスの選択に係る制御動作を、その動作の際に表示部１５に表示される内容を参照しつつ説明する。図４（ａ）は、制御部１１が各種設定を入力する際に表示部１５に表示させる内容であって、この表示は、表示部１５の上部に表示されるピクト行１５ａと、中央に表示されるメニュー表示１５ｂと、下部中央に表示される「決定」なる中央機能表示１５ｃとからなる。
【００４８】
ピクト行１５ａは、基地局から送信され、アンテナ１２ａによって受信された電波の強度を示す図形、装置の各部に電力を供給する蓄電池（図示せず）に蓄えられた電力量の多寡を示す図形などが常に表示されるものである。
【００４９】
メニュー表示１５ｂは、各種設定であるメニュー項目が表示され、その中の１つにカーソルが置かれている旨を表示するものであり、カーソルが置かれている項目は、その他の項目とは異なる表示がされる。ここでは、（７）のメニュー項目、（８）のメニュー項目と共に、「（９）重要な設定をする」なるメニュー項目が表示されている。
【００５０】
更に、この「（９）重要な設定をする」の項目にカーソルが置かれていることを、ハッチングによって示す。カーソルが置かれる項目は、十字選択キー１６ｂの上向きキーと、下向きキーの操作によって、それぞれカーソルが置かれた項目に隣接して上に、また、下に表示された項目へ移動する。また、十字選択キー１６ｂの上向きキーと、下向きキーの操作によって、カーソルが置かれた項目が変化するに従い、表示されるメニュー項目がスクロールする。このメニューには、上記した項目以外に、（１）〜（６）のメニュー項目があるが、スクロールされて、図では表示されていない。
【００５１】
中央機能表示１５ｃは、決定キー１６ａが操作されることによって行われる動作を示し、この場合、カーソルが置かれたメニュー項目が選択されることを示す。
【００５２】
この表示がされている際、決定キー１６ａが操作され、重要な設定の選択が行われると、図４（ｂ）に示すように「（９）重要な設定をする」に含まれる子メニューの項目からなるメニュー表示１５ｂが表示される。このメニュー表示１５ｂには、（１）のメニュー項目、（３）のメニュー項目と共に、「（２）安否メールの設定をする」が表示されている。更に、「▽つづきへ」の表示によって、（３）以降のメニュー項目が存在し、十字選択キー１６ｂの下向きキーの操作によって表示されることが示されている。
【００５３】
この表示がされている際、決定キー１６ａが操作され、安否メールの設定が選択されると、図４（ｃ）に示すように、安否メールに係る設定のための表示がされ、安否メールを送る宛先を登録する旨の説明表示１５ｄと、「（１）安否メール［送信しない］」なる設定表示１５ｅが表示され、設定表示１５ｅにカーソルが置かれている。ここで、安否メールは、送信しない設定となっているとしているため、設定表示１５ｅに、「［送信しない］」が含まれている。
【００５４】
この表示がされている際、決定キー１６ａが操作されると、図４（ｄ）に示すように安否メールの送信、非送信の選択を行うための表示がされる。この表示は、「安否メールを送信しますか？」なる説明表示１５ｄと、「（１）送信する」と、「（２）送信しない」の２つのメニュー項目からなるメニュー表示１５ｂとからなる。２つのメニュー項目の１つにはカーソルが置かれる。このメニュー表示１５ｂで、「（２）送信しない」にカーソルが置かれている理由は、上述した設定表示１５ｅに、「［送信しない］」が含まれているからである。
【００５５】
カーソルが「（２）送信しない」に置かれている際に決定キー１６ａが操作されると、図５（ａ）に示すように、安否メールの送信を停止した旨の処理通知表示１５ｆが、新たなウィンドウとして表示される。この表示がされている際、決定キー１６ａが操作されると、図４（ｃ）に示す安否メールに係る設定のための表示がされる。ここで、設定表示１５ｅに、「［送信しない］」が含まれる。
【００５６】
一方、カーソルが「（１）送信する」に置かれている際に決定キー１６ａが操作されると、図５（ｂ）に示すように、安否メールの宛先の登録の方法の選択を促す説明表示１５ｄと、「（１）電話帳から選ぶ」、「（２）番号を入力する」、「（３）メールアドレスを入力」の３つのメニュー項目からなるメニュー表示１５ｂとからなる表示がされる。
【００５７】
続いて、これらの３つの安否メールの宛先の登録の方法を説明する。図５（ｂ）で、「（１）電話帳から選ぶ」にカーソルが置かれている際に決定キー１６ａが操作されると、図６に示す手順で電話帳を参照して安否メールの宛先が設定される。即ち、まず、電話帳管理部（図示せず）が起動され、電話帳管理部によって、図６（ａ）に示す、電話帳に記憶された氏名と、電話番号と、電子メールアドレスからなる１つのアドレスがアドレス表示１５ｇとして表示される。
【００５８】
更に、この３つのデータ中の電話番号及び電子メールアドレスのいずれか一方を安否メールの宛先メールアドレスとして選択可能であることが示されている。図では、電話番号にカーソルが置かれており、その電話番号が安否メールの宛先メールアドレスとして選択されていることを示す。
【００５９】
ここで、中央機能表示１５ｃの左に「表示」なる左機能表示１５ｈと、中央機能表示１５ｃの右に「メニュー」なる右機能表示１５ｉとが表示されている。右機能表示１５ｉは、第２の機能キー１６ｄが操作されることによって行われる動作を示し、第２の機能キー１６ｄが操作されると右機能表示１５ｉが示すようにメニューが表示され、そのメニューに含まれるメニュー項目の１つを十字選択キー１６ｂの操作によって選択して決定キー１６ａを操作することによって、そのメニュー項目が示す機能が実行される。ここで、その機能の一例は、左機能表示１５ｈが示す「表示」機能である。また、左機能表示１５ｈは、第１の機能キー１６ｃが操作されることによって行われる動作を示し、第１の機能キー１６ｃが操作されると、左機能表示１５ｈが示すように、カーソルが置かれた文字が大きい字体で表示される。
【００６０】
この表示がされている際、決定キー１６ａが操作されると、図６（ｂ）に示すように、図６（ａ）に示すアドレス表示１５ｇが制御部１１によって再び表示されると共に、アドレス表示１５ｇが示すアドレスが安否メールの宛先メールアドレスとして登録して良いか否かの確認を目的とする説明表示１５ｄが表示される。
【００６１】
この表示がされている際、決定キー１６ａが操作されると、図６（ｃ）に示すように、図６（ｂ）のアドレス表示１５ｇが示す人宛に安否メールが送信される旨の処理通知表示１５ｆが、新たなウィンドウとして表示される。この表示がされている際、決定キー１６ａが操作されると、図６（ｄ）に示すように、その人宛てに安否メールが送られることを示す設定表示１５ｅが表示される。ここで、図６（ｄ）は、図４（ｃ）と対比すると容易に理解される。
【００６２】
図５（ｂ）で、「（２）番号を入力する」にカーソルが置かれている際に決定キー１６ａが操作されると、図７に示す手順で電話番号が入力され、その電話番号が安否メールの宛先として設定される。即ち、まず、図７（ａ）に示す、電話番号の入力を促す説明表示１５ｄと、入力の状況を示す入力状況表示１５ｊが表示される。ここで、入力の状況は、「残り０００３２文字  （０）」であり、更に３２文字の入力が可能であることと、入力される文字は、１バイト文字（いわゆる、半角文字。）の数字であることを示している。
【００６３】
ここで電話番号を入力すると、「決定」なる中央機能表示１５ｃが表示され、それが表示されている際に決定キー１６ａが操作されると、図７（ｂ）に示すように、入力された電話番号の確認を促す説明表示１５ｄと、入力された電話番号を含む入力内容表示１５ｋとが表示される。ここで、入力内容表示１５ｋには、その電話番号と関連付けられて電話帳に記憶された氏名が含まれるが、この例では、その電話番号は電話帳に記憶されていないとして、その氏名に代えて「名前なし」なる表示が含まれている。
【００６４】
この表示がされている際、決定キー１６ａが操作されると、図７（ｃ）に示すように、図７（ｂ）の入力内容表示１５ｋが示す電話番号に対応する人宛に安否メールが送信される旨の処理通知表示１５ｆが表示される。この表示がされている際、決定キー１６ａが操作されると、図７（ｄ）に示すように、その電話番号に対応する人宛てに安否メールが送られることを示す設定表示１５ｅが表示される。ここで、図７（ｃ）及び図７（ｄ）は、それぞれ、図６（ｃ）、図６（ｄ）に対応し、類似した表示がされている。
【００６５】
図５（ｂ）で、「（３）メールアドレスを入力」にカーソルが置かれている際に決定キー１６ａが操作されると、図８に示す手順で電子メールアドレスの入力によって安否メールの宛先が設定される。即ち、まず、図８（ａ）に示す、電子メールアドレスの入力を促す説明表示１５ｄと、入力の状況を示す入力状況表示１５ｊが表示される。
【００６６】
ここで、入力の状況は、「□入力文字の切替」と、「残り００２５４文字  ａ」であり、更に、右機能表示１５ｉが示す「メニュー」によって、第２の機能キー１６ｄの操作によるとメニューが表示され、そのメニュー項目の選択によって入力される文字の切替が可能であることと、更に２５４文字の入力が可能であることと、入力される文字は、１バイト文字のアルファベット文字及び記号文字であることを示している。
【００６７】
なお、第２の機能キー１６ｄの操作によってメニューを表示させることにより、上記の他、電子メールアドレスに含まれることが多い、「＠」、「＿」などの記号文字の少ない操作での入力、及び、電話帳に含まれている電子メールアドレスや、装置の使用者に関する情報に含まれている電子メールアドレスを安否メールの宛先とすることができる。また、左機能表示１５ｈが示す「説明」によって、第１の機能キー１６ｃの操作によると電子メールアドレスの入力操作の説明が表示されることが示されている。
【００６８】
ここで電子メールアドレスを入力すると、「決定」なる中央機能表示１５ｃが表示され、それが表示されている際に決定キー１６ａが操作されると、図８（ｂ）に示すように、入力された電子メールアドレスの確認を促す説明表示１５ｄと、入力された電子メールアドレスを含む入力内容表示１５ｋとが表示される。ここで、入力内容表示１５ｋには、その電子メールアドレスと関連付けられて電話帳に記憶された氏名が含まれるが、この例では、その電子メールアドレスは電話帳に記憶されていないとして、その氏名に代えて「名前なし」なる表示が含まれている。
【００６９】
この表示がされている際、決定キー１６ａが操作されると、図８（ｃ）に示すように、図８（ｂ）の入力内容表示１５ｋが示す電子メールアドレス宛に安否メールが送信される旨の処理通知表示１５ｆが表示される。この表示がされている際、決定キー１６ａが操作されると、図８（ｄ）に示すように、その電子メールアドレス宛てに安否メールが送られることを示す設定表示１５ｅが表示される。ここで、図８（ｃ）及び図８（ｄ）は、それぞれ、図７（ｃ）、図７（ｄ）に対応し、類似した表示がされている。
【００７０】
さて、図４を参照して説明した安否メールの宛先メールアドレスの選択に係る制御動作は、安否メールを送信しない設定となっている場合の動作であり、図４（ｃ）に示す設定表示１５ｅに、「［送信しない］」が含まれている。そこで、図９を参照して、安否メールを送信する設定となっており、安否メールの宛先メールアドレスが選択されている場合、その宛先メールアドレスを変更する際の動作を、表示を参照しつつ説明する。
【００７１】
図９（ａ）は、図６（ｄ）と同じであり、安否メールが送られる人が選択されたことを示す設定表示１５ｅが表示されている。この表示がされている際、決定キー１６ａが操作されると、図９（ｂ）に示す、安否メールを送信するか否かの選択のための表示がされる。図９（ｂ）は、図４（ｄ）と同じであるが、カーソルは、「（１）送信する」なる項目に置かれている。なぜなら、安否メールを送信する設定となっているからである。この表示がされている際、決定キー１６ａが操作されると、図９（ｃ）に示す、安否メールの宛先の登録の方法の選択のための表示がされる。図９（ｃ）は、図５（ｂ）と同じである。
【００７２】
制御部１１は、送信する設定が制御部１１内に記憶されており、かつ、開閉検出部１７によって上下筐体１、２が開状態から閉状態になったと検出された場合、安否メール作成部２１を動作させる。
【００７３】
（安否メール作成部２１及び電子メール送受信部１８による安否メールを送信する動作）
図１０は、安否メール作成部２１及び電子メール送受信部１８による安否メールを送信する動作のフローチャートを示す。なお、この図は、装置の使用者による上下筐体１、２を閉じる動作、及び、装置の使用者の関係者が使用する装置による安否メールを受信する動作を併せて示し、安否メールに係わるシーケンスを併せて示す。
【００７４】
移動通信装置の使用者が開状態にあった上下筐体１、２を閉じると（ステップＳ１０１）、開閉検出部１７によって、上下筐体１、２が閉状態になったと検出され、それを契機とする制御部１１の指示によって、安否メール作成部２１は安否メールを記憶させる動作を開始する（ステップＳ２０１）。
【００７５】
安否メール作成部２１は、安否メール最終記憶日時記憶部２２に記憶された安否メール最終記憶日時と、時計１１ａが示す日時とを比較することによって、今日、初めて上下筐体１、２が閉じられたか否かを判断する（ステップＳ２０２）。即ち、時計１１ａが示す日時が安否メール最終記憶日時と異なる日である場合（ここで、時刻は参照する必要がない。）、及び、安否メール最終記憶日時に値が記憶されていない場合（これは、装置が出荷された後、初めて安否メール作成部２１が動作する場合と、時計制御機能１１−１によって安否メール最終記憶日時が消去された場合とに対応する。）、今日、初めて上下筐体１、２が閉じられたと判断し、同じ日である場合、初めて閉じられたのではないと判断する。
【００７６】
初めて上下筐体１、２が閉じられたと判断された場合、安否メール作成部２１は、安否メール作成部２１内に記憶された安否メールの宛先メールアドレスと、件名と、本文とを未送信メールとして未送信メール記憶部１９に記憶させる（ステップＳ２０３）と共に、時計１１ａが示す日時によって安否メール最終記憶日時を更新して（ステップＳ２０４）、安否メールを記憶させる動作を終了する（ステップＳ２０５）。初めて閉じられたのではないと判断された場合、直ちに安否メールを記憶させる動作を終了する（ステップＳ２０５）。
【００７７】
電子メール送受信部１８は、所定時間間隔、例えば、１分間隔で動作を開始し（ステップＳ３０１）、ステップＳ２０３で記憶された安否メールを含む未送信メールが未送信メール記憶部１９に記憶されているか否かを調べる（ステップＳ３０２）。記憶されている場合、その記憶された未送信メールを送受信部１３に送信させ、送信された未送信メールを未送信メール記憶部１９から削除し（ステップＳ３０３）、安否メールを含む未送信メール送信する動作を終了する（ステップＳ３０４）。記憶されていない場合、直ちに未送信メール送信する動作を終了する（ステップＳ３０４）。
【００７８】
ステップＳ３０３の未送信メールを送信される動作によって、移動通信装置の使用者の関係者は、安否メールを受信する（ステップＳ４０１）。なお、ステップＳ３０３で、所定時間経過しても送信がされない場合（例えば、移動通信装置が移動通信網の圏外に位置する場合である。）、電子メール送受信部１８は、未送信メールを削除することなく、未送信メールを送信する動作を終了する（図示せず）。
【００７９】
以上説明した動作によって、上下筐体１、２が閉じられ、安否メール作成部２１によって安否メールが記憶された後、短時間の内に、即ち、上下筐体１、２が閉じられている間にそのメールが送信される可能性が高い。そこで、上下筐体１、２が開かれたときにメールを送信するときとは異なり、装置は、上記メールの送信と、装置の使用者に従った動作とを同時に行う可能性が小さいため、高性能が求められることがない。更に、消費電力の増大を招くことがなく、蓄電池に負担がかかることが少ない。
【００８０】
なお、上記メールが送信される際、又は、送信中に、上下筐体１、２が開けられたとしても、また、装置の使用者による入力部１６のキー操作に従った動作が開始されたとしても、電子メール送受信部１８による未送信メールを送信する動作は、続けられる。また、安否メール作成部２１が安否メールを未送信メール記憶部１９に記憶させた後、電子メール送受信部１８を起動して、未送信メールを送信させるとしても良い。この処理によれば、上記メールの送信と、装置の使用者に従った動作とを同時に行う可能性が一際小さい。
【００８１】
以上の説明で、安否メールの件名と、本文とは、全ての安否メールについて同じであるとしたが、これに限るものではない。安否メール作成部２１は、安否メール毎に、安否メールの件名及び／又は本文を作成することによって、異なる可能性があるとしても良い。
【００８２】
例えば、安否メールの件名及び／又は本文は、装置の移動通信網用の電話番号、安否メールを未送信メール記憶部１９に記憶させた際に時計１１ａが示す日時、その際にＧＰＳ測位部（図示せず）によって測位された緯度及び経度、その緯度及び経度によって識別される位置を識別する情報、例えば、地方自治体名や、自宅、親戚宅などを示す情報が含まれていても良い。これらの情報を参照することによって、装置の使用者の関係者は、装置の使用者の安否をより具体的に知ることができる。
【００８３】
なお、緯度及び経度から地方自治体名を得るには、装置内に記憶された地図情報を参照する。緯度及び経度から自宅、親戚宅などを示す情報を得るには、緯度及び経度と、自宅、親戚宅などを示す情報とが関連付けられて装置内に記憶された情報を参照する。
【００８４】
このように、安否メールの件名及び／又は本文がそれぞれの安否メールによって異なる可能性がある場合、装置の使用者の関係者は、今日の安否メールを同じ時刻に受け取るなら、新しく作成された安否メールを受け取ることが望ましい。そこで、安否メール作成部２１は、今日未送信メール記憶部１９に記憶させた安否メールが未送信メール記憶部１９に記憶されており（これは、装置が移動通信圏外に位置していて、未送信メールの送信が不可能な場合などに対応する。）、かつ、上下筐体１、２が閉じられた場合、未送信メール記憶部１９に記憶された安否メールを削除の上、新たに安否メールを作成して未送信メール記憶部１９に記憶させても良い。
【００８５】
以上の説明で、１日とは、暗黙のうちに、午前０時０分から始まる２４時間であるとしたが、これに限るものではない。入力部１６のキー操作に基づいた、又は、事前に定められた任意の時刻、例えば、午前７時から始まる２４時間としても良い。ここで、午前７時とは、安否メールの宛先メールアドレスに係わる者、即ち、装置の使用者の関係者が起床する時刻である。
【００８６】
この処理による場合、安否メール作成部２１は、上記任意の時刻を記憶すると共に、時計１１ａが示す日時と、安否メール最終記憶日時とに含まれる日だけでなく、時刻をも参照する。この処理によれば、装置の使用者の関係者は、就寝時に安否メールを受信する可能性を小さくすることができ、安眠を妨げられる可能性を小さくすることができる。
【００８７】
以上の説明で、安否メール作成部２１は、ある日に、初めて上下筐体１、２が閉じられた際に安否メールを未送信メール記憶部１９に記憶させ、更に、電子メール送受信部１８は、装置が移動通信網の通信圏外にあるなどの例外を除き、未送信メール記憶部１９に記憶された未送信メールを、例えば、数分以内に送信する結果、安否メールが安否メールの宛先メールアドレスに係わる装置によって受信される時刻は、１日の中のいずれの時刻の可能性もあるが、これに限るものではない。
【００８８】
即ち、安否メール作成部２１は、１日を第１の時間帯と、第２の時間帯とに二分してこれらの時間帯を記憶する。第１の時間帯は、例えば、午前７時から午後１１時までであって、安否メールの宛先メールアドレスに係わる者、即ち、装置の使用者の関係者が起床している時間帯である。一方、第２の時間帯は、午後１１時から午後１２時及び午前０時から午前７時であって、その関係者が就寝している時間帯である。
【００８９】
そして、安否メール作成部２１は、安否メールを未送信メール記憶部１９に未送信メールとして記憶させる際、上記第１の時間帯を付して記憶させる。更に、電子メール送受信部１８は、時計１１ａが示す日時中の時刻が未送信メールに付された時間帯に含まれる場合に限って、その未送信メールを送信させる。又は、安否メール作成部２１は、上記第２の時間帯を付して記憶させ、電子メール送受信部１８は、時計１１ａが示す日時中の時刻が未送信メールに付された時間帯に含まれない場合に限って、送信させる。この処理によれば、装置の使用者の関係者は、就寝時に安否メールを受信することがなく、安眠を妨げられることがない。
【００９０】
以上の説明で、安否メールは、電子メールとして送信されるとしたが、これに限るものではない。ショートメッセージとして、即ち、電話番号によって指定される移動通信装置に対して、通話チャネルを介して送信されるとしても良い。
【００９１】
以上の説明で、時計制御機能１１−１は、時計１１ａが変更されると、安否メール最終記憶日時記憶部２２に記憶された安否メール最終記憶日時を消去するとした。これは、時計１１ａが変更されることによって、上下筐体１、２が閉じられたにも係わらず、安否メールが送信されない日が無いようにする処理であるが、一方、その変更があった日には、安否メールが複数通送信される可能性がある。
【００９２】
そこで、例えば、時計制御機能１１−１は、変更前に時計１１ａが示した日時の中の日と、安否メール最終記憶日時の中の日とが等しい場合、安否メール最終記憶日時を消去しないとしても良い。この処理によれば、時計１１ａが示す同じ日に安否メールが複数通作成されることはない。ただし、時計１１ａが示す日時に基づいた同じ日であるとの判断は、正しい時計が示す日時に基づいた同じ日であるとの判断とは異なる可能性がある。
【００９３】
以上の説明で、安否メール作成部２１は、上下筐体１、２が閉じられた際に安否メールを未送信メール記憶部１９に記憶させるとしたが、これに限るものではなく、ある日に、上下筐体１、２が閉じられることがなかった場合、その旨の安否メールを未送信メール記憶部１９に記憶させるとても良い。即ち、制御部１１は、日が変わった際に安否メール作成部２１を動作させ、安否メール作成部２１は、変わる前の日が、安否メール最終記憶日時の日として記憶されていない場合、変わる前の日に閉じられることがなかった旨の安否メールを未送信メール記憶部１９に記憶させる。
【００９４】
以上の説明は、本発明を折畳み型の移動通信装置に適用した形態を例にとって行ったが、これに限るものではない。本発明は、あらゆる開閉自在の移動通信装置、例えば、スライド式の移動通信装置に適用することが当然に可能である。スライド式の移動通信装置では、表示部１５は前筐体の前面に設置され、筐体の開閉に係らず視認が可能である。また、入力部１６の少なくとも一部は、後筐体の前面に設置され、筐体が開状態にある場合、操作可能、閉状態にある場合、操作不可能である。
【００９５】
ここで、折畳み型であるか、スライド式であるかを問わず、閉状態とは、入力部１６の少なくとも一部のキーを操作することによって、使用者が装置に動作を開始させることができない状態である。即ち、上下筐体１、２が閉状態になったことは、装置の使用者は、入力部１６のキーを操作して所望の操作をさせた可能性が高く、無事であると判断される。
【００９６】
また、閉状態とは、表示部１５の表示の少なくとも一部が視認不可能である状態である。即ち、上下筐体１、２が閉状態になったことは、装置の使用者は、表示部１５に所望の表示をさせた可能性が高く、無事であると判断される。たとえ、表示部１５に表示された時計１１ａが示す日時を視認したのみであっても、何ら変わるところがない。
【００９７】
以上の説明は、本発明をいわゆる携帯電話に適用した形態を例にとって行ったが、これに限るものではない。本発明は、あらゆる開閉自在の移動通信装置、例えば、携帯型のパソコンに適用することが当然に可能である。本発明は以上の構成に限定されるものではなく、種々の変形が可能である。
【符号の説明】
【００９８】
１  上筐体
２  下筐体
３  ヒンジ部
４  磁石
５  磁界検出素子
１１  制御部
１１−１  時計制御機能
１１−２  ロック機能
１１ａ  時計
１７  開閉検出部
１８  電子メール送受信部
１９  未送信メール記憶部
２１  安否メール作成部
２２  安否メール最終記憶日時記憶部
【図１】
2010226533.tif 000003
【図２】
2010226533.tif 000004
【図３】
2010226533.tif 000005
【図４】
2010226533.tif 000006
【図５】
2010226533.tif 000007
【図６】
2010226533.tif 000008
【図７】
2010226533.tif 000009
【図８】
2010226533.tif 000010
【図９】
2010226533.tif 000011
【図１０】
2010226533.tif 000012